(57)【要約】【課題】衣類、植木鉢、装飾品など多様な物品の陳列が可能で陳列向きも任意に選択でき移動も自由にできて屋内外でのガーデニングを楽しむことにも好適する組立式ポールハンガーを提供すること。【解決手段】丸棒の長手方向に嵌挿した連結チップの相互当接部に形成された周溝に、固定金具の下端内曲部を介入して連結チップ外側に固定金具を抱着する。固定金具の反対側に臨ませた保持金具のコ字形片の両側スリットを、固定金具の両側舌片に係止して保持金具を固定金具に固着する。【選択図】図１
2015147020.tif 000002
【特許請求の範囲】
【請求項１】
丸棒の長手方向に四角柱状の連結チップを嵌挿列設し、連結チップの相互当接部に形成された周溝に、コ字形の固定金具の下端内曲部を介入して連結チップ外側に固定金具を抱着するとともに固定金具の反対側に臨ませた保持金具におけるコ字形片の両側スリットを、前記固定金具の両側に突設した舌片に係止して保持金具を固定金具に固着し、しかして最上部の連結チップに抑え蓋を設けることを特徴とする組立式ポールハンガー。
【請求項２】
前記丸棒下端に設けた脚部が放射状の支持体を備え、各支持体に高さ調節可能な螺子状の調節片を取り付けることを特徴とする請求項１記載の組立式ポールハンガー。
【請求項３】
保持金具が、植木鉢・置物などの載置部、帽子・衣類などの引掛部を備えたものであることを特徴とする請求項１又は２記載の組立式ポールハンガー。
【請求項４】
前記連結チップが合成樹脂製であり、赤、青、黄色などの色彩を有するものであることを特徴とする請求項１、２、３のいずれかに記載の組立式ポールハンガー。
【発明の詳細な説明】
【技術分野】
【０００１】  本発明は、植木鉢・衣類・置物などの陳列・取り付けは勿論、ガーデニング用にも、地震対策用にも供することのできる多目的利用を可能とした組立式ポールハンガーに関する。
【背景技術】
【０００２】  植木鉢を支柱の任意位置に取り付けることによって屋内外で植物の栽培や鑑賞を楽しめるようにしたり、植木鉢以外の装飾物の取り付けもできるスタンド式ハンガーなどの技術が少なからず存在する。そして省スペースでもガーデニングを体感できるように好みの植物を随時取り付け取り外しができるような構造のものであったり移動が容易であるもの、あるいは高さ調節が可能であるものなどが開発されている（例えば特許文献１〜３参照）。
【先行技術文献】
【特許文献】
【０００３】
【特許文献１】登録実用新案公報第３０３３６４２号公報
【特許文献２】特開２００１−２９１９３号公報
【特許文献３】特開２００１−７８５７８号公報
【発明の概要】
【発明が解決しようとする課題】
【０００４】  塀の表面に植木鉢を吊り下げられるようにしたフラワーハンガーが特許文献１に開示されている。このハンガーは植木鉢を取り付ける保持柱をあらかじめ塀に固定するというものであり保持柱には上下の離れた位置に突出釘が設けられていて、この釘に植木鉢を吊り下げることを特徴としている。植木鉢以外のものを吊り下げることも可能であるが、固定された保持柱は絶えず同じ向きにあり、したがって保持柱を固定する塀側に日の光が射さないと植物育成に良好な環境を提供することができないという問題がある。【０００５】  特許文献２に示されたポールハンガーは釘や螺子を使用しないでも植木鉢をポールに着脱できることを特徴としている。このものはポールにバンドを巻き付けて固定し、そのバンドに鉤形の保持棒を取り付けた後に植木鉢を吊り下げるというものであり、植木鉢の取付けには便利であるが、バンドをポールに巻き付ける作業に少なからず手間がかかるという懸念がある。【０００６】  複数個の植木鉢を上下に並べて陳列できる組立式植木鉢が特許文献３に示されている。この植木鉢は棚等を用いないで陳列できるとしているが、植木によっては枝が高く伸びるものもあるため上下に十分な間隔を確保するのが難しく上記植木鉢では上下の陳列におのずから限界が生ずることは否めない。【０００７】  本発明は上記従来技術の有する問題点に鑑みなされたもので、植木鉢等が上下に多数個取り付けできるだけでなく上下のものが向きを変えて固定でき、また置物や衣類などの取り付けなど広範な利用に供することが可能であり、しかも室内外を問わないためガーデニング用としても好適するなど多目的利用にふさわしく、更にはそれ自体インテリアとしての機能を発揮する組立式ポールハンガーを提供することを目的とする。
【課題を解決するための手段】
【０００８】  上記目的を達成するために本発明の組立式ポールハンガーは、丸棒の長手方向に四角柱状の連結チップを嵌挿列設し、連結チップの相互当接部に形成された周溝に、コ字形の固定金具の下端内曲部を介入して連結チップ外側に固定金具を抱着するとともに固定金具の反対側に臨ませた保持金具におけるコ字形片の両側スリットを、前記固定金具の両側に突設した舌片に係止して保持金具を固定金具に固着し、しかして最上部の連結チップに抑え蓋を設けることを主旨とする。【０００９】  前記丸棒下端に設けた脚部が放射状の支持体を備え、各支持部に高さ調節可能な螺子状の調節片を取り付けることを特徴としている。【００１０】  前記保持金具が、植木鉢・置物などの載置部、帽子・衣類などの引掛部を備えたものであることを特徴とする。【００１１】  前記連結チップが合成樹脂製であり、赤、青、黄色などの色彩を有するものであることを特徴としている。
【発明の効果】
【００１２】  連結チップ外側に固定金具を抱着すると、反対側から臨ませた保持金具を固定金具と合体させることができ両金具は連結チップに沿い固定される。保持金具には植木鉢だけでなく置物、装飾品はもちろん日用品を載せることもできるためその用途は頗る広範囲にわたる。また保持金具は物を載せるだけでなく帽子、上着などを直接かけたり一般的なハンガーを吊り下げる形状とすることもできるため本発明は多目的利用に好適する。【００１３】  固定金具は連結チップのいずれの方向からも抱着できるため保持金具の向きも固定金具に対応して左右前後いずれの位置にも取り付けできる。したがって複数の植木鉢を好みの向きに配置したり異なる種類の花束の飾り付けなどインテリアとして楽しむことができる。【００１４】  本ポールハンガーは組立式のため移動が容易で屋内・屋外の別なく設置できるので、例えばベランダに本ポールハンガーを設置する場合に、花や植木の種類に応じて日向、日蔭など植物にふさわしい方向を選ぶことができ、その際保持金具の向きによって植木鉢などに適する取り付け方ができる。【００１５】  丸棒の長さに応じて連結チップの個数・長さも異なるが、着色された連結チップを組み合わせるとカラフルな外観を呈するので見栄えの良いものとなり、室内に装飾効果をもたらすことができる。【００１６】  丸棒の高さ調節をすると最上部にある抑え蓋を天井に押し付けることができるため、抑え蓋を幅広なものとすれば突っ張り棒と同様、地震時にも揺動することがなく保持金具が脱出したり植木鉢等が落下する恐れもない。
【図面の簡単な説明】
【００１７】
【図１】本発明組立式ポールハンガーの使用状態図である。
【図２】丸棒に嵌挿した連結チップ相互の関係性を示す部分図である。
【図３】コ字形金具と保持金具を示す説明図である。
【図４】ベランタに本ポールハンガーを取り付けた概略図である。
【図５】天井に本ポールハンガーを押し付けた概略図である。
【発明を実施するための形態】
【００１８】  各図面を参照して本発明の形態につき説明すると、図１は本発明全体の概略使用例を示すもので、ポールハンガーＡは、後記する丸棒１０の長手方向に四角柱状の連結チップ１が嵌挿列設してあり、連結チップ１に、植木鉢・衣類等を取り付けることのできる保持金具７が固定されている。
【００１９】  丸棒の下端は四本の支持体からなる脚部１１と一体的に設けられ、脚部下面には高さ調節ができる螺子状の調節片１２を設けてある。そして最上部の連結チップ１には抑え蓋１３が固着してあり、連結チップ１が丸棒と一体状となるため最早個々の連結チップが妄動することはなく、全体の長さが一定に保持される。なお抑え蓋１３は丸棒１０の頂部と螺子止めされているので螺子を緩めれば取り外しができる。
【００２０】  図２は連結チップ１の貫通孔１’に丸棒１０を嵌挿した図であり、上部の連結チップ１の下端内側が下部の連結チップ１の上端に係合する関係性を示している。すなわち上下の連結チップ形状は同一であり、連結チップ１の上端には外面よりもやや内側に凸部２が形成され、この凸部２の端縁と合致する凹部３が下端に形成されている。したがって下部の連結チップ１の上に上部の連結チップ１が順次位置するものであり、丸棒１０は連結チップ１内を貫通しているため外見されることがなく、当然ながら脚部１１と抑え蓋１３間にある丸棒１０と連結チップ１は上方と下方からの圧接で不動状となる。そして上記の凹部２は凸部３よりも浅く形成され上下の連結チップ１の間には方形の周溝４が形成される。
【００２１】  図３は前記した連結チップ１相互間に位置して物を載置したり吊り下げることができるようにするためのコ字形の固定金具５と保持金具７を示した図である。（ａ）は固定金具５の斜視図で、該固定金具は両側を打ち抜いて舌片６を突設し、下端には内向き状の内曲部５’が形成されている。したがって連結チップ１の外側にあてがった固定金具５は、（ｂ）のように内曲部５’が連結チップの前記周溝４に介入するため固定金具５は下方向への動きが抑止される。
【００２２】  （ｃ）に示すとおり保持金具７は基部にコ字形片８を有し、該コ字形片８を固定金具５の外側に取り付けるものであって、このとき保持金具７は固定金具５と対面状となるため連結チップ１を挟んで保持金具７は固定金具５の反対側に位置する。保持金具７のコ字形片８は上方より下方に向けて介入させることで固定金具５と密接し、コ字形片下側に形成したスリット９を固定金具の舌片６に係止させれば保持金具７は固定金具５に固定され両金具は強固に結合する。なお図示したようにスリット９は、舌片６の背面側と圧接状に密着するため連結チップ１から位置ずれしたり外れることはない。（ｃ）に示した保持金具は一般的なハンガーを吊り下げできるように玉状の引掛部を形成してあるが、植木鉢や装飾品、日用品などを載せるためには平板状、受け皿状の載置部を形成すればよい。
【００２３】  保持金具７は連結チップ１を丸棒１０に嵌挿した後から取り付けるものであり、四角柱状の連結チップ１のいずれの方向からも固定金具５を係合できるので当然ながら保持金具７は固定金具の向きに応じて取り付けができ、植木なども一方向だけでなく変化に富んだ配列状態とすることができる。
【００２４】  図４はポールハンガＡをベランダ１４に配置した例を示すもので、四本の脚部が場所をとるようであれば三本足にすることで不便は解消できる。また図示のようにベランダの柵にひも結びで連結チップ１を固定すれば安定感は増すので安心して屋外でのガーデニングを楽しむこともでき、またポールハンガーＡは直立状であるから植物の蔓を巻き付けるにも都合がよい。なおベランダが広い家屋では、温室のような植物育成空間を形成することもあるが、その場合通常は平面的な栽培となるが、本ポールハンガーを利用することによって立体的な有効利用が可能となる。
【００２５】  図５はポールハンガーＡを天井１５に圧接して固定した例を示すもので、床面と天井との距離にふさわしい長さの丸棒に連結チップ１を列設すればよく、下端の脚部１１に取り付けた調節片１２を高さ調節して最上部の抑え蓋１３（この場合は幅広に形成する）を天井１５に押し付ければハンガーＡは微動だにせず、突っ張り棒の働きをするので地震対策上にも都合がよい。
【００２６】  本発明の連結チップ１は合成樹脂製のものが最もふさわしく、したがって色合いも赤、青、黄色などの色彩のあるものを組み合わせる（図５参照）ことが容易であり、ハンガーＡそのものにインテリアとしての存在感を持たせることができる。しかして前記した保持金具７に例えばＬＥＤ発光体のような光輝色の装飾物を取り付けることで室内を暗くした状態で夜目にも鮮やかな室内空間を楽しむことができ、更には金魚鉢や小鳥かごなどの取り付けも可能であるから、視覚を通して精神の安らぎも得られるといった効果が得られ、その意味でも本発明の利用範囲は頗る広範なものがあるといえる。
【００２７】  なお上述した説明および図は本発明の一例であるから、本発明の目的・効果を奏する範囲における任意な変更事項も本発明の実施の範疇に属すること勿論である。
【符号の説明】
【００２８】  Ａ    ポールハンガー
１    連結チップ
２    凸部
３    凹部
４    周溝
５    固定金具
５’  内曲部
６    舌片
７    保持金具
８    コ字形片
９    スリット
１０  丸棒
１１  脚部
１２  調節片
１３  抑え蓋
【図１】
2015147020.tif 000003
【図２】
2015147020.tif 000004
【図３】
2015147020.tif 000005
【図４】
2015147020.tif 000006
【図５】
2015147020.tif 000007